(57)【要約】【課題】びびり振動を抑制して加工安定性を向上させることができるラジアスエンドミルを提供する。【解決手段】ラジアスエンドミル１は、工具本体３の先端部４の外周側に設けられた円弧刃５を備え、工具本体３の中心軸線を含む縦断面において、円弧刃５が形成された角度範囲であるノーズＲ角度θｒは、３０°以下とされている。円弧刃５は、縦断面において、工具本体３の先端部４の底面４ａにて中心軸線に直交する方向に接線を有する位置Ｐ１から側面４ｂにかけて底面用円弧刃として形成されている。円弧刃５の中心軸線方向の寸法であるノーズＲ高さＨｒは、０．７５ｍｍ以下とされている。【選択図】図２
2019181644.tif 000002
【特許請求の範囲】
【請求項１】
工具本体の先端部の外周側に設けられた円弧刃を備え、
前記工具本体の中心軸線を含む縦断面において、前記円弧刃が形成された角度範囲は、３０°以下とされているラジアスエンドミル。
【請求項２】
前記円弧刃は、前記縦断面において、前記工具本体の先端部の底面にて少なくとも前記中心軸線に直交する方向に接線を有する位置から側面にかけて底面用円弧刃として形成され、
該底面用円弧刃の前記中心軸線方向の寸法は、０．７５ｍｍ以下とされている請求項１に記載のラジアスエンドミル。
【請求項３】
前記円弧刃は、前記縦断面において、前記工具本体の前記先端部の側面にて前記中心軸線に平行な方向に接線を有する位置から前記先端部の底面にかけて側面用円弧刃として形成され、
該側面用円弧刃の前記中心軸線方向に直交する方向の寸法は、０．７５ｍｍ以下とされている請求項１に記載のラジアスエンドミル。
【請求項４】
前記円弧刃は、前記縦断面において、前記工具本体の先端部の底面にて少なくとも前記中心軸線に直交する方向に接線を有する位置から側面にかけて底面用円弧刃として形成され、該底面用円弧刃の前記中心軸線方向の寸法は、０．７５ｍｍ以下とされ、かつ、
前記円弧刃は、前記縦断面において、前記工具本体の前記先端部の側面にて前記中心軸線に平行に接線を有する位置から前記先端部の底面にかけて側面用円弧刃として形成され、該側面用円弧刃の前記中心軸線方向に直交する方向の寸法は、０．７５ｍｍ以下とされている請求項１に記載のラジアスエンドミル。
【請求項５】
請求項１から４のいずれかに記載のラジアスエンドミルと、
前記ラジアスエンドミルの基端部が固定されて該ラジアスエンドミルの前記中心軸線回りに回転させる駆動部と、
を備え、
前記ラジアスエンドミルの前記円弧刃の円弧形状を形成する円弧の半径は、前記駆動部の回転数および切削送り速度から演算される一刃あたりの送り量と、加工時に要求される要求面粗度とに基づいて決定されている工作機械。
【請求項６】
請求項１から４のいずれかに記載のラジアスエンドミルを設計するラジアスエンドミル設計方法であって、
ラジアスエンドミルを前記中心軸線回りに回転させる駆動部の回転数および切削送り速度から演算される一刃あたりの送り量と、加工時に要求される要求面粗度とに基づいて、前記ラジアスエンドミルの前記円弧刃の円弧形状を形成する円弧の半径を決定するラジアスエンドミル設計方法。
【請求項７】
請求項１から４のいずれかに記載のラジアスエンドミルを用いて加工する加工方法であって、
薄板部を有するワークを固定するワーク固定工程と、
前記ラジアスエンドミルを用いて前記薄板部を加工する加工工程と、
を有し、
前記加工工程は、前記ワーク固定工程にて前記ワークを固定している間に、前記ワークに対して異なる方向から加工を行う加工方法。
【発明の詳細な説明】
【技術分野】
【０００１】
本発明は、ラジアスエンドミル及びこれを用いた工作機械、並びにラジアスエンドミルの設計方法及び加工方法に関するものである。
【背景技術】
【０００２】
例えば航空機に用いられる構造部品では、高精度化や軽量化の観点から薄肉化が進んでいる。例えば、従来では板金成形とされていた胴体パネルとフレームとの結合部材等（以下、単に「結合部材」という。）は、軽量化高精度化の観点から機械加工によって製作する結合部材が用いられ始めている。しかし、機械加工は、一般に素材費が増加するので、加工費の削減が必要になる。
【０００３】
加工費削減のためには、加工時間を低減する必要がある。そのためには、送り速度や切り込み量を増大させる必要がある。しかし、板金成形とされる部品と同じ形状に部品を機械加工する場合、素材厚さが薄いため切り込み量を増大させるには限界がある。そこで、送り速度を増大させることが重要となる。
【０００４】
送り速度を増大する際の注意点として面粗度がある。面粗度Ｒｚ［ｍｍ］は、一刃あたりの送り量ｆｚ［ｍｍ／ｔｏｏｔｈ］と、刃先の円弧刃の半径であるノーズＲ［ｍｍ］を用いて下式で表される。
Ｒｚ＝ｆｚ２／（８×Ｒ）    ・・・（１）
式（１）から分かるように、一刃当たりの送り量ｆｚを向上させるにはノーズＲを大きくする必要がある。
【０００５】
一方、例えば航空機部品の機械加工では、工具の刃先に円弧刃を有するラジアスエンドミルが多用される。円弧刃を有しないスクエアエンドミルは主に送り方向に切削力が発生するが、ラジアスエンドミルは、円弧形状があるので、工具中心軸線方向にも切削力が発生し、切削力が板厚方向に発生する場合がある。このため、ラジアスエンドミルは、薄板部を有するワークにびびり振動が発生しやすくなる。特に、ワークの固定を１回として加工するワンチャック加工では、ワークの薄板部の板厚方向に切削力が発生する加工も行うため、びびり振動の発生が避けられない。したがって、式（１）で示したようにノーズＲを大きくする必要があるにも関わらず、びびり振動に対する安定性の観点からノーズＲを小さくせざるを得ないという問題がある。
【０００６】
このようなびびり振動の対策として、特許文献１及び２に開示されたものがある。特許文献１では、円弧刃に接続される外周刃を設けることが開示されている。特許文献２では、隣接する螺旋溝間のピッチを異ならせることが開示されている。
【０００７】
また、びびり振動として、再生型自励びびり振動が報告されている（非特許文献１）。再生型自励びびり振動は、一刃前に切削する際に生じていた振動が加工面の起伏として残り、その振動が現在の切削において切り取り厚さの変更として再生するものである。このため、切削力が変動して再び振動が発生する閉ループが構成され、所定の条件で振動が成長して大きなびびり振動が発生する。
【先行技術文献】
【特許文献】
【０００８】
【特許文献１】特開２００６−２１２７４４号公報
【特許文献２】特開２０１３−１７６８４２号公報
【非特許文献】
【０００９】
【非特許文献１】社本英二、“切削加工におけるびびり振動の発生機構と抑制”、電気精鋼、８２巻２号（２０１１年）、１４３頁−１５５頁
【発明の概要】
【発明が解決しようとする課題】
【００１０】
上記の特許文献１及び２では、再生型自励びびり振動に対する検討がなされていないので、びびり振動の低減としては十分ではない。
【００１１】
本発明者等は、鋭意検討し、ラジアスエンドミルの歯先に設けた円弧刃の大きさや形状によって再生幅が変化することに着目した。ここで、再生幅とは、再生型自励びびり振動の起因となる寸法であり、一刃が切削する切削方向の寸法、すなわち円弧刃とワークとが接触する切削方向の寸法を意味する。再生幅が大きいほど、一刃前の再生時の振動の影響が大きくなるため、びびり振動が発生しやすくなり加工安定性が低くなる。
【００１２】
このような事情に鑑みてなされたものであって、本発明は、びびり振動を抑制して加工安定性を向上させることができるラジアスエンドミル及びこれを用いた工作機械、並びにラジアスエンドミルの設計方法及び加工方法を提供することを目的とする。
【課題を解決するための手段】
【００１３】
本発明の一態様に係るラジアスエンドミルは、工具本体の先端部の外周側に設けられた円弧刃を備え、前記工具本体の中心軸線を含む縦断面において、前記円弧刃が形成された角度範囲は、３０°以下とされている。
【００１４】
円弧刃が形成された角度範囲（ノーズＲ角度θｒ）を３０°以下とすることで、角度範囲を９０°とした場合に比べて再生幅を１／２以下としてびびり振動を抑制して加工安定性を向上させることができる。
角度範囲の下限値としては、例えば０．０９°とされる。円弧刃の円弧形状を形成する半径（ノーズＲ）は、例えば１ｍｍ以上１０００ｍｍ以下とされる。
【００１５】
さらに、本発明の一態様に係るラジアスエンドミルでは、前記円弧刃は、前記縦断面において、前記工具本体の先端部の底面にて少なくとも前記中心軸線に直交する方向に接線を有する位置から側面にかけて底面用円弧刃として形成され、該底面用円弧刃の前記中心軸線方向の寸法は、０．７５ｍｍ以下とされている。
【００１６】
円弧刃を縦断面において工具本体の先端部の底面にて工具本体の中心軸線に直交する方向に接線を有する位置から側面にかけて形成することで、底面加工用のラジアスエンドミルが提供される。縦断面における円弧刃の工具本体の中心軸線方向における寸法（ノーズＲ高さＨｒ）を０．７５ｍｍ以下とすることで、円弧刃の角度範囲を９０°とした場合に比べて再生幅を１／２以下としてびびり振動を抑制して加工安定性を向上させることができる。
ノーズＲ高さＨｒの下限値としては、例えば０．０３ｍｍとされる。
【００１７】
さらに、本発明の一態様に係るラジアスエンドミルでは、前記円弧刃は、前記縦断面において、前記工具本体の前記先端部の側面にて前記中心軸線に平行な方向に接線を有する位置から前記先端部の底面にかけて側面用円弧刃として形成され、該側面用円弧刃の前記中心軸線方向に直交する方向の寸法は、０．７５ｍｍ以下とされている。
【００１８】
円弧刃を縦断面において工具本体の先端部の側面にて工具本体の中心軸線に平行な方向に接線を有する位置から先端部の底面にかけて形成することで、側面加工用のラジアスエンドミルが提供される。縦断面における円弧刃の工具本体の中心軸線方向に直交する方向おける寸法（ノーズＲ高さＨｒ）を０．７５ｍｍ以下とすることで、円弧刃の角度範囲を９０°とした場合に比べて再生幅を１／２以下としてびびり振動を抑制して加工安定性を向上させることができる。
ノーズＲ高さＨｒの下限値としては、例えば０．０３ｍｍとされる。
【００１９】
さらに、本発明の一態様に係るラジアスエンドミルでは、前記円弧刃は、前記縦断面において、前記工具本体の先端部の底面にて少なくとも前記中心軸線に直交する方向に接線を有する位置から側面にかけて底面用円弧刃として形成され、該底面用円弧刃の前記中心軸線方向の寸法は、０．７５ｍｍ以下とされ、かつ、記円弧刃は、前記縦断面において、前記工具本体の前記先端部の側面にて前記中心軸線に平行に接線を有する位置から前記先端部の底面にかけて側面用円弧刃として形成され、該側面用円弧刃の前記中心軸線方向に直交する方向の寸法は、０．７５ｍｍ以下とされている。
【００２０】
底面用円弧刃を縦断面において工具本体の先端部の底面にて工具本体の中心軸線に直交する方向に接線を有する位置から側面にかけて形成し、かつ、側面用円弧刃を縦断面において工具本体の先端部の側面にて工具本体の中心軸線に平行に接線を有する位置から先端部にかけて形成することで、底面加工と側面加工が可能なハイブリッド加工用のラジアスエンドミルが提供される。底面用円弧刃の工具本体の中心軸線方向の寸法を０．７５ｍｍ以下とし、かつ、側面用円弧刃の工具本体の中心軸線方向に直交する方向の寸法を０．７５ｍｍ以下とすることで、円弧刃の角度範囲を９０°とした場合に比べて再生幅を１／２以下としてびびり振動を抑制して加工安定性を向上させることができる。
【００２１】
また、本発明の一態様に係る工作機械は、上記のいずれかに記載のラジアスエンドミルと、前記ラジアスエンドミルの基端部が固定されて該ラジアスエンドミルの前記中心軸線回りに回転させる駆動部と、を備え、前記ラジアスエンドミルの前記円弧刃の円弧形状を形成する円弧の半径は、前記駆動部の回転数および切削送り速度から演算される一刃あたりの送り量と、加工時に要求される要求面粗度とに基づいて決定されている。
【００２２】
駆動部の回転数および切削送り速度から一刃当たりの送り量が演算される。この一刃当たりの送り量と、加工時に要求される要求面粗度（例えば図面上要求される面粗度）とに基づいて、ラジアスエンドミルの円弧刃の半径を決定することとした。これにより、要求面粗度を満たす任意の切削条件においてびびり振動を抑制して安定した加工が可能となる。
駆動部の最大の回転数と切削送り速度を用いて円弧刃の半径を決定すれば、加工速度を最大化することができる。
【００２３】
また、本発明の一態様に係るラジアスエンドミル設計方法は、上記のいずれかに記載のラジアスエンドミルを設計するラジアスエンドミル設計方法であって、ラジアスエンドミルを前記中心軸線回りに回転させる駆動部の回転数および切削送り速度から演算される一刃あたりの送り量と、加工時に要求される要求面粗度とに基づいて、前記ラジアスエンドミルの前記円弧刃の円弧形状を形成する円弧の半径を決定する。
【００２４】
駆動部の回転数および切削送り速度から一刃当たりの送り量が演算される。この一刃当たりの送り量と、加工時に要求される要求面粗度（例えば図面上要求される面粗度）とに基づいて、ラジアスエンドミルの円弧刃の半径を決定することとした。これにより、要求面粗度を満たす任意の切削条件においてびびり振動を抑制した加工が可能となる。
駆動部の最大の回転数と切削送り速度を用いて円弧刃の半径を決定すれば、加工速度を最大化することができる。
【００２５】
本発明の一態様に係る加工方法は、上記のいずれかに記載のラジアスエンドミルを用いて加工する加工方法であって、薄板部を有するワークを固定するワーク固定工程と、前記ラジアスエンドミルを用いて前記薄板部を加工する加工工程と、を有し、前記加工工程は、前記ワーク固定工程にて前記ワークを固定している間に、前記ワークに対して異なる方向から加工を行う。
【００２６】
薄板部を有するワークであっても、上記のラジアスエンドミルを用いているので、びびり振動が抑制される。また、ワークを固定している間に異なる方向から加工を行ってもびびり振動を抑制することができるので、ワンチャック加工が可能となり、高効率にて加工を行うことができる。
なお、「ワークに対して異なる方向から加工を行う」とは、例えば、底面加工の場合には工具本体の中心軸線に対して垂直方向に加工を行い、側面加工の場合には工具本体の中心軸線に対して平行方向に加工を行うことである。ここで、垂直方向および平行方向については、円弧刃の角度範囲内で傾くことは許容される。
【発明の効果】
【００２７】
円弧刃の角度範囲を３０°以下として再生幅を小さくしたので、びびり振動を抑制して加工安定性を向上させることができる。
【図面の簡単な説明】
【００２８】
【図１】本発明の第１実施形態に係るラジアスエンドミルを側面図である。
【図２】図１のＡ部の詳細を示した拡大図である。
【図３】ノーズＲに対してノーズＲ高さＨｒを示したグラフである。
【図４】ノーズＲ角度θｒを示したグラフである。
【図５】本発明の第２実施形態に係るラジアスエンドミルを側面図である。
【図６】図５のＡ’部の詳細を示した拡大図である。
【図７】本発明の第３実施形態に係るラジアスエンドミルを側面図である。
【図８】図７のＡ”部の詳細を示した拡大図である。
【発明を実施するための形態】
【００２９】
以下に、本発明に係る各実施形態について、図面を参照して説明する。
［第１実施形態］
図１には、本実施形態に係るラジアスエンドミル１が示されている。同図は、ラジアスエンドミル１は、工具本体３のシャンク部が工作機械のスピンドル（駆動部）に固定されることによって中心軸線Ｌ１回りに回転させられる。
【００３０】
ラジアスエンドミル１の直径（工具径）は、一体型のエンドミルの場合は４ｍｍ以上３２ｍｍ以下とされている。なお、刃先交換式のカッターの場合は、工具径の上限は２００ｍｍ以上となる。ラジアスエンドミル１の工具本体３の先端部４の底面の外周側には、円弧刃５が設けられている。以下、円弧刃５を形成する円弧の半径をノーズＲ［ｍｍ］という。同図におけるラジアスエンドミル１は、工具径方向に切り込んで加工する底面加工用とされている。ワークの特に薄板とされた板状部の表面に正対するように先端部４を向け、表面の延在方向にワークを相対的に送って底面加工するときに、再生びびり振動が生じ易い。
【００３１】
同図に示したラジアスエンドミル１の刃数は２とされている。但し、刃数は２以上であれば良い。円弧刃５の内周側（中心軸線Ｌ１側）には、工具本体３側に対比して凹となる逃げ面６が形成されている。
ラジアスエンドミル１の先端部４とは反対側の端部である基端部７は、シャンクとされており、工作機械のスピンドル（駆動部）のチャックに固定される。
【００３２】
図２には、図１のＡ部の詳細が示されている。円弧刃５は、中心軸線Ｌ１（図１参照）を含む縦断面において、工具本体３の先端部４の底面４ａにて中心軸線Ｌ１に直交する方向（同図において水平方向）に接線を有する位置Ｐ１から側面４ｂと交差する位置Ｐ２にかけて底面用円弧刃として形成されている。なお、円弧刃５は、位置Ｐ１よりも中心軸線Ｌ１側に延長して設けられていても良い。これにより、中心軸線Ｌ１側に設けられた底刃に滑らかに接続することができる。
円弧刃５の中心軸線Ｌ１方向（同図において上下方向）の寸法であるノーズＲ高さＨｒは、０．７５ｍｍ以下とされている。円弧刃５を形成する円弧の半径であるノーズＲは、１ｍｍ以上１０００ｍｍ以下とされている。円弧刃５が形成された角度範囲であるノーズＲ角度θｒは、３０°以下とされている。
【００３３】
ノーズＲ角度θｒは、ノーズＲ高さＨｒとノーズＲを用いて下式のように表される。
θｒ＝ｃｏｓ−１（（Ｒ−Ｈｒ）／Ｒ）    ・・・（２）
【００３４】
円弧刃５の中心軸線Ｌ１に直交する方向（同図において水平方向）における寸法が再生幅Ｗｃとなる。再生幅Ｗｃは、再生型自励びびり振動の起因となる寸法であり、一刃が切削する切削方向の寸法、すなわち円弧刃５とワークとが接触する切削方向（図２において水平方向）の寸法を意味する。再生幅Ｗｃが大きいほど、一刃前の再生時の振動の影響が大きくなる。
【００３５】
再生幅Ｗｃは、式（２）を用いて下式のように表される。
Ｗｃ＝Ｒ×ｓｉｎθｒ＝Ｒ×ｓｉｎ［ｃｏｓ−１（（Ｒ−Ｈｒ）／Ｒ）］
・・・（３）
【００３６】
［ノーズＲ高さＨｒとノーズＲ角度θｒの範囲］
次に、図２に示したノーズＲ高さＨｒとノーズＲ角度θｒの設定範囲について説明する。
比較対象となる比較再生幅Ｗｃ０を下式のように定める。
Ｗｃ０＝Ｒ×ｓｉｎ［ｃｏｓ−１（（Ｒ−Ａｄ）／Ｒ）］    ・・・（４）
上式においてＡｄは中心軸線Ｌ１方向の切込み量である。すなわち、式（４）に示された比較再生幅Ｗｃ０は、ノーズＲ高さを切込み量Ａｄに設定したことを意味する。なお、ノーズＲよりも切込み量Ａｄが大きいとき（Ｒ＜Ａｄ）には、Ａｄ＝Ｒ（すなわちノーズＲ角度は９０°が上限）とする。
【００３７】
再生型びびり振動は、再生幅Ｗｃに影響されるので、比較再生幅Ｗｃ０の１／２以下（すなわちＷｃ０／Ｗｃが２以上）となるようにノーズＲ高さＨｒとノーズＲ角度θｒを決定すると下表の通りとなる。
【００３８】
【表１】
2019181644.tif 000003
【００３９】
下表には、切込み量Ａｄを変化させてＷｃ０／Ｗｃが２以上となるように本実施形態のノーズＲ高さＨｒを整理した場合が示されている。
【００４０】
【表２】
2019181644.tif 000004
【００４１】
上の表２をグラフに表すと図３のようになる。同図には、参考として既存の底面仕上げ用にノーズＲ高さＨｒをノーズＲよりも小としたラジアスエンドミルの数値がプロットされている。同図から分かるように、荒加工で想定される最大の切込みを考慮して切込み量Ａｄが３．０ｍｍ以下で、ノーズＲが１ｍｍ以上１０００ｍｍ以下の場合に、以下のノーズＲ高さＨｒの範囲であれば、比較例に対して２倍以上の安定性が得られる。
ノーズＲ高さＨｒ≦０．７５ｍｍ    ・・・（５）
【００４２】
下表には、切込み量Ａｄを変化させてＷｃ０／Ｗｃが２以上となるように本実施形態のノーズＲ角度θｒを整理した場合が示されている。
【００４３】
【表３】
2019181644.tif 000005
【００４４】
上の表３をグラフに表すと図４のようになる。同図には、参考として図３に示した既存の底面仕上げ用にノーズＲ高さＨｒをノーズＲよりも小としたラジアスエンドミルの数値がプロットされている。同図から分かるように、荒加工で想定される最大の切込みを考慮して切込み量Ａｄが３．０ｍｍ以下で、ノーズＲが１ｍｍ以上１０００ｍｍ以下の場合に、以下のノーズＲ角度θｒの範囲であれば、比較例に対して２倍以上の安定性が得られる。
０°＜ノーズＲ角度θｒ≦３０°    ・・・（６）
【００４５】
なお、ノーズＲとノーズＲ角度θｒの関係から、切込み量Ａｄが大きくなっても、ノーズＲ角度θｒは３０°が上限となる。これは、Ａｄ≧Ｒの場合、上述のようにＷｃ０＝Ｒとなり、本実施形態の再生幅ＷｃをＷｃ０の１／２とすれば、式（３）よりθr＝３０°となるためである。このときのノーズＲ高さＨｒは、Ｒ×（１−３１／２／２）となる。
【００４６】
［ノーズＲの決定］
次に、ノーズＲの決定方法について説明する。
ノーズＲは、一刃あたりの送り量と、加工時に要求される、具体的には図面上要求される要求面粗度とに基づいて決定される。
【００４７】
一刃あたりの送り量ｆｚ［ｍｍ／ｔｏｏｔｈ］は、工作機械の切削送り速度Ｆ［ｍｍ／ｍｉｎ］、工作機械のスピンドルの主軸回転数Ｓ［／ｍｉｎ］、刃数Ｎとした場合に、下式にて表される。
ｆｚ＝Ｆ／Ｓ／Ｎ    ・・・（７）
工作機械の機械制約として、切削送り速度Ｆには最大切削送り速度Ｆｍａｘがあり、主軸回転数Ｓには最大主軸回転数Ｓｍａｘが存在する。この最大値であるＦｍａｘに近づけて加工することが、加工時間を削減する上で好ましい。
【００４８】
面粗度Ｒｚは、下式にて表される。
Ｒｚ＝ｆｚ２／（８×Ｒ）    ・・・（８）
【００４９】
式（７）及び式（８）を用いて、ノーズＲは、面粗度Ｒｚと一刃当たりの送り量ｆｚを用いて、下式のように表される。
Ｒ＝Ａ×ｆｚ２／（８×Ｒｚ）    ・・・（９）
ここで、Ａは実加工を考慮した係数であり、例えば２以上４以下である。
【００５０】
なお、ノーズＲ高さＨｒは、ヘムスティッチ高さ（面粗度Ｒｚ）だけでなく、中心軸線Ｌ１方向の振動振幅Ｖｒ［ｍｍ］も考慮して設定されることが好ましい。
Ｈｒ＝Ｒｚ＋Ｖｒ    ・・・（１０）
【００５１】
上式（９）に示したように、ノーズＲは、工作機械の切削送り速度Ｆと主軸回転数Ｓによって決まる一刃当たりの送り量ｆｚと、要求面粗度とによって決定される。
【００５２】
［加工方法］
次に、本実施形態のラジアスエンドミル１を用いた加工方法について説明する。
加工対象となるワークは、板金加工によって成形される形状を有し、例えば航空機の胴体パネルとフレームとを結合する結合部材のような薄板部を有するものである。
先ず、工作機械のワーク固定部に、切削前のワークを固定する（ワーク固定工程）。
そして、工作機械のスピンドルにラジアスエンドミル１の基端部７（図１参照）を固定する。
スピンドルを回転させることによってラジアスエンドミル１を中心軸線Ｌ１回りに回転させ、ワークの切削を行う（加工工程）。本実施形態のラジアスエンドミル１は、底面加工用なので、中心軸線Ｌ１方向に切込み量Ａｄで切込みを行い、中心軸線Ｌ１に直交する方向にワークに対して切削送り速度Ｆでラジアスエンドミル１を送る。
工作機械は多軸（例えば５軸や６軸）制御とされており、加工時にはワークに対してラジアスエンドミル１を異なる角度から加工を行う。すなわち、１回の段取り（ワンチャック）で、ワークの複数面に対して加工を行う。
【００５３】
上述の通り、本実施形態によれば、以下の作用効果を奏する。
底面加工用のラジアスエンドミル１の円弧刃５のノーズＲ角度θｒを３０°以下とすることで、比較例（表１参照）のように円弧刃の角度範囲を９０°とした場合に比べて再生幅を１／２以下としてびびり振動を抑制して加工安定性を向上させることができる。
【００５４】
底面加工用のラジアスエンドミル１の円弧刃５の工具本体３の中心軸線Ｌ１方向における寸法であるノーズＲ高さＨｒを０．７５ｍｍ以下とすることで、比較例（表１参照）のように円弧刃の角度範囲を９０°とした場合に比べて再生幅を１／２以下としてびびり振動を抑制して加工安定性を向上させることができる。
【００５５】
工作機械のスピンドルの主軸回転数Ｓおよび切削送り速度Ｆから一刃当たりの送り量ｆｚが演算される。この一刃当たりの送り量ｆｚと、加工時に要求される要求面粗度Ｒｚとに基づいて、ラジアスエンドミル１の円弧刃５の半径であるノーズＲを決定することとした。これにより、要求面粗度を満たす任意の切削条件においてびびり振動を抑制して安定した加工が可能となる。
【００５６】
結合部材のような薄板部を有するワークであっても、本実施形態のラジアスエンドミル１を用いて加工するので、本実施形態の加工方法によれば、びびり振動を抑制することができる。また、ワークを固定している間に異なる方向から加工を行ってもびびり振動を抑制することができるので、ワンチャック加工が可能となり、高効率にて加工を行うことができる。
なお、ワークを固定している間に異なる方向から加工を行うことは、例えば、底面加工の場合には工具本体３の中心軸線Ｌ１に対して垂直方向に加工を行い、側面加工の場合には工具本体３の中心軸線Ｌ１に対して平行方向に加工を行うことである。ここで、垂直方向および平行方向については、円弧刃５の角度範囲内で傾くことは許容される。
【実施例】
【００５７】
次に、上記実施形態の一実施例について説明する。下表には、本実施例にかかるエンドレスミルの諸元と、このエンドレスミルを用いて加工を行う工作機械の諸元が記載されている。なお、工具径は２０ｍｍである。
【００５８】
【表４】
2019181644.tif 000006
【００５９】
これに対して、既存のラジアスエンドミルの諸元を下表に示す。表５は荒加工に用いるラジアスエンドミルであり、表６は仕上げ加工に用いるラジアスエンドミルである。工具径は２０ｍｍである。なお、下表においてＲ部接触角θは、ノーズＲとワークとの接触角を意味する。本実施例の場合は、ノーズＲ角度＝Ｒ部接触角となる。
【００６０】
【表５】
2019181644.tif 000007
【００６１】
【表６】
2019181644.tif 000008
【００６２】
上記の表４〜表６から分かるように、底面加工用のラジアスエンドミルについて、本実施例の再生幅は、既存ラジアスエンドミルの再生幅に対して、荒加工で７倍、仕上げ加工で３倍となっており、大幅にびびり振動が低減できることが分かる。また、実際に結合部材に対して加工を行ったところ、既存ラジアスエンドミルではびびり振動が発生したが、本実施例のラジアスエンドミルでは同じ条件で加工した場合であってもびびり振動は生じなかった。
【００６３】
［第２実施形態］
本実施形態は、第１実施形態が底面加工用とされているのに対し、側面加工用とされている点で異なる。したがって、以下の説明では、第１実施形態と異なる点について説明し、同様の構成については同一符号を付しその説明を省略する。
【００６４】
図５には、本実施形態に係るラジアスエンドミル１’が示されている。ラジアスエンドミル１’の工具本体３の先端部４の側面４ｂには、円弧刃５’が設けられている。同図におけるラジアスエンドミル１は、工具本体３の中心軸線Ｌ１方向に切り込んで加工する側面加工用とされている。
【００６５】
図６には、図５のＡ’部の詳細が示されている。円弧刃５’は、中心軸線Ｌ１を含む縦断面において、工具本体３の先端部４の側面４ｂにて中心軸線Ｌ１に平行な方向（同図において上下方向）に接線を有する位置Ｐ３から底面４ａと交差する位置Ｐ４にかけて側面用円弧刃として形成されている。円弧刃５’の中心軸線Ｌ１に直交する方向（同図において水平方向）の寸法であるノーズＲ高さＨｒ’は、０．７５ｍｍ以下とされている。円弧刃５’を形成する円弧の半径であるノーズＲ’は、１ｍｍ以上１０００ｍｍ以下とされている。円弧刃５’が形成された角度範囲であるノーズＲ角度θｒ’は、０°よりも大きく３０°以下とされている。
再生幅Ｗｃ’は、ノーズＲ高さＨｒ’と同じとなる（Ｗｃ’＝Ｈｒ’）。
【００６６】
本実施形態は、切込み量に相当する寸法に応じて再生幅Ｗｃ０をとった比較例に対して、第１実施形態と同様に再生幅Ｗｃ’を１／２以下としているので、びびり振動を抑制することができる。したがって、その他の作用効果についても、第１実施形態と同様である。
【００６７】
［第３実施形態］
本実施形態は、底面加工用とされた第１実施形態の円弧刃５と、側面加工用とされた第２実施形態の円弧刃５’とを組み合わせたハイブリッド形のラジアスエンドミル１”である。
【００６８】
図７には、本実施形態に係るラジアスエンドミル１”が示されている。ラジアスエンドミル１”の工具本体３の先端部４の底面４ａには円弧刃５が設けられ、側面４ｂには円弧刃５’が設けられている。同図におけるラジアスエンドミル１は、円弧刃５を用いた底面加工と、円弧刃５’を用いた側面加工とが可能とされている。
【００６９】
図８には、図７のＡ”部の詳細が示されている。
円弧刃５は、中心軸線Ｌ１を含む縦断面において、工具本体３の先端部４の底面４ａにて中心軸線Ｌ１に直交する方向（同図において水平方向）に接線を有する位置Ｐ１から側面４ｂと交差する位置Ｐ２にかけて底面用円弧刃として形成されている。円弧刃５の中心軸線Ｌ１方向（同図において上下方向）の寸法であるノーズＲ高さＨｒは、０．７５ｍｍ以下とされている。円弧刃５を形成する円弧の半径であるノーズＲは、１ｍｍ以上１０００ｍｍ以下とされている。円弧刃５が形成された角度範囲であるノーズＲ角度θｒは、０°よりも大きく３０°以下とされている。
【００７０】
円弧刃５’は、中心軸線Ｌ１を含む縦断面において、工具本体３の先端部４の側面４ｂにて中心軸線Ｌ１に平行な方向（同図において上下方向）に接線を有する位置Ｐ３から底面４ａと交差する位置Ｐ４（位置Ｐ２と同じ位置）にかけて側面用円弧刃として形成されている。円弧刃５’の中心軸線Ｌ１に直交する方向（同図において水平方向）の寸法であるノーズＲ高さＨｒ’は、０．７５ｍｍ以下とされている。円弧刃５’を形成する円弧の半径であるノーズＲ’は、１ｍｍ以上１０００ｍｍ以下とされている。円弧刃５’が形成された角度範囲であるノーズＲ角度θｒ’は、０°よりも大きく３０°以下とされている。
再生幅Ｗｃ’は、Ｒ’×ｓｉｎθｒ+Ｈｒ’となる。
【００７１】
本実施形態は、切込み量に相当する寸法に応じて再生幅Ｗｃ０をとった比較例に対して、第１実施形態及び第２実施形態と同様に再生幅Ｗｃ’を１／２以下としているので、びびり振動を抑制することができる。したがって、その他の作用効果についても、第１実施形態及び第２実施形態と同様である。
【符号の説明】
【００７２】
１，１’，１”  ラジアスエンドミル
３  工具本体
４  先端部
４ａ  底面
４ｂ  側面
５，５’  円弧刃
６  逃げ面
７  基端部
Ａｄ  切込み量
Ｆ  切削送り速度
ｆｚ  一刃当たりの送り量
Ｈｒ，Ｈｒ’  ノーズＲ高さ
Ｌ１  中心軸線
Ｎ  刃数
Ｒ，Ｒ’  ノーズＲ（円弧刃の半径）
Ｒｚ  面粗度
Ｓ  主軸回転数
θｒ，θｒ’  ノーズＲ角度
【図１】
2019181644.tif 000009
【図２】
2019181644.tif 000010
【図３】
2019181644.tif 000011
【図４】
2019181644.tif 000012
【図５】
2019181644.tif 000013
【図６】
2019181644.tif 000014
【図７】
2019181644.tif 000015
【図８】
2019181644.tif 000016